(57)【要約】【課題】鍵盤蓋の開閉に伴って見やすい位置に譜面立てを立てることができる鍵盤楽器を提供することを目的とする。【解決手段】本発明の鍵盤楽器１によれば、鍵盤部２０と、鍵盤部２０を開閉可能に覆う鍵盤蓋３０と、回転可能に設けられた譜面立て４０と、を有し、鍵盤蓋３０の開動作に連動して譜面立て４０が起立するとともに、鍵盤蓋３０の閉動作に連動して譜面立て４０の起立状態が解除される。このため、鍵盤蓋３０の開閉に伴って見やすい位置に譜面立てを立てることができる。さらに、鍵盤蓋３０の閉動作に連動して、譜面立て４０が天板１４に収納されるので、譜面立て４０を片付ける手間が省ける。【選択図】図１
2018159842.tif 000002
【特許請求の範囲】
【請求項１】
鍵盤部と、
前記鍵盤部を開閉可能に覆う鍵盤蓋と、
回転可能に設けられた譜面立てと、を有し、
前記鍵盤蓋の開動作に連動して前記譜面立てが起立するとともに、前記鍵盤蓋の閉動作に連動して前記譜面立ての起立状態が解除されることを特徴とする鍵盤楽器。
【請求項２】
前記譜面立ては、前記鍵盤部を収容する楽器本体の天板に回転可能に設けられ、
前記鍵盤蓋の開動作に連動して前記譜面立てが起立するとともに、前記鍵盤蓋の閉動作に連動して前記譜面立てが前記天板に収納されることを特徴とする請求項１に記載の鍵盤楽器。
【請求項３】
前記譜面立ては、
譜面を支持する譜面受けと、
前記譜面受けに対して交差する方向に設けられた基材と、
前記譜面立てを回転可能に支持する回転軸とを有し、
前記回転軸が前記天板に取り付けられていることを特徴とする請求項２に記載の鍵盤楽器。
【請求項４】
前記前蓋と前記後蓋を折り曲げて開く際に、前記後蓋が前記基材を押し上げて前記譜面立てを起立させることを特徴とする請求項３に記載の鍵盤楽器。
【請求項５】
前記基材には錘が取り付けられており、
前記前蓋と前記後蓋を延ばして閉じる際に、前記譜面立ては前記錘の作用により回転して収納されることを特徴とする請求項３又は請求項４に記載の鍵盤楽器。
【請求項６】
前記鍵盤蓋の開閉動作に連動して動作する部材部分が、前記譜面立ての回転に連動して動作する部材部分を押すことで前記譜面立てが起立することを特徴とする請求項２から請求項４のいずれか１項に記載の鍵盤楽器。
【請求項７】
前記鍵盤蓋は、連結部材によって折り曲げ可能に連結された前蓋と後蓋とを有し、
前記前蓋及び前記後蓋を延ばした状態で前記鍵盤部を覆うとともに、前記前蓋及び前記後蓋を折り曲げた状態で前記鍵盤部を開放することを特徴とする請求項１から請求項６のいずれか１項に記載の鍵盤楽器。
【請求項８】
前記譜面立てを起立した状態で固定する固定機構を有することを特徴とする請求項１から請求項７のいずれか１項に記載の鍵盤楽器。
【請求項９】
スピーカの音を所定方向へ放音する放音蓋を有し、
前記鍵盤蓋の開動作に連動して前記放音蓋が開くとともに、前記鍵盤蓋の閉動作に連動して前記放音蓋が閉じる放音蓋開閉機構を有することを特徴とする請求項１から請求項８までのいずれか１項に記載の鍵盤楽器。
【請求項１０】
前記放音蓋開閉機構は、
前記鍵盤蓋の開動作によって前記譜面立てが起立した際に、前記放音蓋を開方向へ付勢する付勢材を有し、
前記鍵盤蓋の閉動作によって前記譜面立てが収納されると、前記譜面立ての重量により前記放音蓋を閉じることを特徴とする請求項９に記載の鍵盤楽器。
【発明の詳細な説明】
【技術分野】
【０００１】
本発明は、鍵盤楽器に関するものである。
【背景技術】
【０００２】
従来、鍵盤楽器には譜面立てが設けられており、鍵盤を覆う鍵盤蓋と譜面立てを兼用させて、鍵盤蓋を開くと同時に譜面立てを立てることができる鍵盤楽器が知られている（特許文献１、特許文献２参照）。
【先行技術文献】
【特許文献】
【０００３】
【特許文献１】特開２０１３−２０１５４号公報
【特許文献２】特開２０１５−１４３８４１号公報
【発明の概要】
【発明が解決しようとする課題】
【０００４】
しかしながら、上記従来技術においては、鍵盤蓋と譜面立てとを兼用するため、譜面立ての位置が制限されるので、必ずしも見やすい位置に譜面を立てることができない場合があるという問題があった。
本発明は、上記事情に鑑みてなされたものであり、鍵盤蓋の開閉に伴って見やすい位置に譜面立てを立てることができる鍵盤楽器を提供することを目的とする。
【課題を解決するための手段】
【０００５】
上記目的を達成するために、本発明は、以下の構成によって把握される。
本発明の鍵盤楽器は、鍵盤部と、前記鍵盤部を開閉可能に覆う鍵盤蓋と、回転可能に設けられた譜面立てと、を有し、前記鍵盤蓋の開動作に連動して前記譜面立てが起立するとともに、前記鍵盤蓋の閉動作に連動して前記譜面立ての起立状態が解除されることを特徴とする。
【発明の効果】
【０００６】
本発明によれば、鍵盤蓋の開閉に伴って見やすい位置に譜面立てを立てることができる鍵盤楽器を提供できる。
【図面の簡単な説明】
【０００７】
【図１】本発明の実施形態において鍵盤蓋を閉じて鍵盤部を覆った状態を示す断面図である。
【図２】本発明の実施形態において鍵盤蓋を開く途中及び閉じる途中の状態を示す断面図である。
【図３】本発明の実施形態において鍵盤蓋を開いて鍵盤部を開放した状態を示す断面図である。
【図４】（Ａ）は天板を上方から見た斜視図であり、（Ｂ）は譜面立てを収納するとともに放音蓋を閉じた状態の天板を上方から見た斜視図である。
【図５】（Ａ）は譜面立ての譜面受けを起立した状態で固定する譜面受け支えを示す分解斜視図であり、（Ｂ）は譜面受け支えにより譜面受けを固定している状態を示す一部透視の斜視図である。
【図６】（Ａ）は譜面立てを前下方から見た斜視図であり、（Ｂ）は譜面立てを後上方から見た斜視図である。
【発明を実施するための形態】
【０００８】
（実施形態）
以下、図面を参照して本発明を実施するための形態（以下、実施形態）について詳細に説明する。なお、実施形態の説明の全体を通して同じ要素には同じ番号を付している。
【０００９】
図１は、本発明の実施形態において鍵盤蓋を閉じて鍵盤部を覆った状態を示す断面図である。図２は、本発明の実施形態において鍵盤蓋を開く途中及び閉じる途中の状態を示す断面図である。また、図３は、本発明の実施形態において鍵盤蓋を開いて鍵盤部を開放した状態を示す断面図である。
なお、以下の説明においては、図１において右側を「後」、左側を「前」、上側を「上」、下側を「下」として説明する。また、図示はしないが、紙面直交方向手前側を「左」、紙面直交方向向こう側を「右」として説明する。
【００１０】
（楽器本体）
図１〜図３に示すように、本実施形態の鍵盤楽器１は、内部空間を有する箱状の楽器本体１０を有する。楽器本体１０は、矩形の底板１１を有しており、底板１１の後端縁から上方に向けて設けられた後板１２と、前後方向の中央部付近で後板１２と平行に設けられた前板１３を有する。前板１３は、後板１２の高さの約半分程度の高さであり、上端は後板１２の上端と略同じ高さとなっていて、後板１２の上端面と前板１３の上端面には天板１４が取り付けられている。天板１４は、後端部は後板１２に達しており、前端部は前板１３から前方に突出している。
【００１１】
そして、底板１１、後板１２、前板１３及び天板１４の左右両側には、一対の側板１５が取り付けられている。なお、図１においては、鍵盤楽器１を前後方向に切断しているので、右側の側板１５のみが見えている。側板１５は、全体Ｌ字形状を呈しており、前部上方が切り欠かれている。両側板１５の前下部の内側面には、後述する鍵盤蓋３０の開閉動作時に、前端を脱落しないようにガイドするガイド溝１６が設けられている（図２及び図３参照）。
【００１２】
（鍵盤部）
前板１３の下方には底板１１との間に空間があり、この空間に鍵盤部２０が設けられている。鍵盤部２０は、底板１１の略全面にわたって鍵盤シャーシ２１が設けられており、鍵盤シャーシ２１には、左右両側板１５間の略全長にわたって複数の鍵２１ａが平行に設けられている。側板１５に設けられているガイド溝１６は、鍵盤部２０の上方及び鍵盤部２０の前方に、全体Ｊ字形状に設けられている。
【００１３】
鍵２１ａの後端部上方には、各鍵２１ａにそれぞれアクション荷重を付与するアクション機構部２２が設けられている。このアクション機構部２２には、各鍵２１ａの上方にハンマー部材２３が上下方向に回転可能に設けられており、鍵２１ａが打鍵された際に、その打鍵された鍵２１ａに対応するハンマー部材２３が上下方向に回転することにより、鍵２１ａにアクション荷重を付与するように構成されている。
【００１４】
すなわち、このアクション機構部２２は、鍵２１ａにアクション荷重を付与することにより、アコースティックピアノの鍵タッチに近似した鍵タッチ感が得られるように構成されている。また、このアクション機構部２２は、ハンマー部材２３が回転して鍵２１ａにアクション荷重を付与した際に、スイッチ動作するスイッチ回路部２４を備えている。このスイッチ回路部２４は、そのスイッチ動作によってスピーカ２５から楽音を発生させる電気信号を出力するように構成されている。
【００１５】
（鍵盤蓋）
図１〜図３に示すように、前板１３の前方で鍵盤部２０の上方には、鍵盤部２０を覆う鍵盤蓋３０が開閉可能に設けられている。鍵盤蓋３０は、鍵盤部２０の前側を覆う前蓋３１と、後側を覆う後蓋３２を有しており、前蓋３１と後蓋３２はヒンジ（連結部材）３３によって折り曲げ可能に連結されている。また、後蓋３２におけるヒンジ３３と反対側端部は、蓋回動軸３４を介して両側板１５，１５に回動可能に取り付けられている。
【００１６】
また、前蓋３１の前端３１ａにはガイド部材３５が取り付けられており、ガイド部材３５は、両側板１５，１５の内面に設けられているガイド溝１６に沿って移動可能となっている。これにより、前蓋３１の前端３１ａがガイド溝１６から脱落するのを防止している。なお、ガイド溝１６は、鍵盤蓋３０を完全に開けた際に（図３参照）、略垂直に立っている前蓋３１が不用意に前方へ動かないように、途中部分よりも後端部１６ａが低くなっている。
【００１７】
前蓋３１及び後蓋３２を延ばして鍵盤蓋３０を閉じた状態では、鍵盤蓋３０は、鍵盤部２０の上方及び前方を覆う（図１参照）。鍵盤蓋３０を開ける際には、前蓋３１の後端、すなわちヒンジ３３側を上方へ引き上げる。これにより、ガイド部材３５がガイド溝１６に沿って移動する。同時に、後蓋３２の前端が持ち上がるので、後蓋３２は蓋回動軸３４を中心として上方へ回動する（図２参照）。これにより、鍵盤蓋３０の鍵２１ａの上方が解放される（図３参照）。
【００１８】
（天板）
図４（Ａ）及び図４（Ｂ）に示すように、天板１４には、譜面立て４０及び放音蓋５０が設けられている。
天板１４の上面１４ａの前端部には、譜面立て４０を収納するための略長方形状の譜面受け凹部１４ｂが設けられている。譜面受け凹部１４ｂの前端には、左右方向の全長にわたって細い長方形状の譜面立て用開口１４ｃが設けられている。この譜面立て用開口１４ｃは、天板１４を貫通して譜面立て４０を取り付けるためのものである。このため、譜面立て用開口１４ｃの幅は、後述する譜面立て４０の基材４２（図６（Ａ）参照）が貫通可能な大きさとする。また、譜面受け凹部１４ｂの後端部中央には、後述する放音蓋開閉機構６０の第１部材（付勢材）６３が突出できるように、放音開閉部材用切欠き１４ｈが設けられている（図１参照）。
【００１９】
譜面立て用開口１４ｃの左右延長上両側には、譜面立て４０を回転可能に支持するために、半円形状の軸受凹部１４ｄが設けられている。また、譜面受け凹部１４ｂにおける左右両端部付近には、譜面立て４０を起立した状態で固定する譜面受け支え（固定機構）１７を取り付けるための取付凹部１４ｇが設けられている。
【００２０】
また、天板１４における譜面受け凹部１４ｂの後方には、矩形状の放音蓋用開口１４ｅが設けられており、この放音蓋用開口１４ｅには放音蓋５０が開閉可能に設けられている。放音蓋用開口１４ｅの内面には、放音蓋５０を閉じた際に、放音蓋５０が放音蓋用開口１４ｅから下方へ脱落しないように、段部１４ｆが設けられている。段部１４ｆの位置は、放音蓋５０を閉じた際に、放音蓋５０が天板１４の上面１４ａから突出しないように設定する。
【００２１】
（譜面立て）
図６（Ａ）及び図６（Ｂ）に示すように、譜面立て４０は、譜面を支持する譜面受け４１と、譜面受け４１に対して交差する方向に設けられた基材４２とを有しており、基材４２を水平に保持すると、譜面受け４１は後方に傾斜して譜面を保持する。譜面受け４１は全体略長方形状を呈しており、基材４２と反対側の先端の両隅が略円形に隅取りされている。
【００２２】
前述した天板１４の譜面受け凹部１４ｂの形状は、譜面受け４１の形状に対応しており、譜面受け凹部１４ｂの深さは譜面受け４１の板厚に対応している。これにより、譜面受け４１が譜面受け凹部１４ｂに収納された際に（図４（Ｂ）参照）、譜面受け４１の前面４１ａが、天板１４の上面１４ａと同一面となる。また、譜面受け４１の後面４１ｂには、天板１４に設けられている左右の取付凹部１４ｇに対応した位置に、支え用凹部４１ｃが設けられている。
【００２３】
譜面受け４１と基材４２の交差位置には、譜面立て回転軸（回転軸）４３が左右に突出して設けられている。この譜面立て回転軸４３は、天板１４の軸受凹部１４ｄに挿嵌されて、譜面立て４０を回転可能に支持する。なお、譜面立て回転軸４３には、譜面立て４０を収納する方向に対してダンパー機能を設けるのが望ましい。また、基材４２の上面４２ａには、譜面立て回転軸４３から遠い後端縁に沿って、譜面立て錘４４が設けられている。したがって、譜面立て４０を取り付けた状態では、基材４２を下げる方向に回転するように付勢される。
【００２４】
（譜面立ての固定機構）
図５（Ａ）は譜面立て４０の譜面受け４１を起立した状態で固定する譜面受け支え１７を示す分解斜視図であり、図５（Ｂ）は譜面受け支え１７により譜面受け４１を固定している状態を示す一部透視の斜視図である。
【００２５】
図５（Ａ）及び図５（Ｂ）に示すように、譜面受け支え１７は、天板１４の譜面受け凹部１４ｂの取付凹部１４ｇに取り付けられる座板１７ａと、支え回転軸１７ｂと、この支え回転軸１７ｂを介して座板１７ａに回転可能に支持される支え部材１７ｃを有する。天板１４の取付凹部１４ｇの大きさ及び深さは、座板１７ａの大きさ及び深さに対応しており、座板１７ａを取り付けた状態で、座板１７ａが譜面受け凹部１４ｂから突出しないようにしている。また、譜面立て４０の譜面受け４１に設けられている支え用凹部４１ｃ（図６（Ｂ）参照）の大きさ及び深さは、譜面受け支え１７の支え部材１７ｃの大きさ及び深さに対応しており、譜面受け４１を譜面受け凹部１４ｂに収納した際に、天板１４の上面１４ａから突出しないようにしている。
【００２６】
図１に示すように、譜面受け支え１７の支え回転軸１７ｂは、天板１４との間に巻きバネ（図示省略）が設けられており、常時、支え部材１７ｃが起き上がる方向（図１において矢印Ａ方向）に付勢している。一方、支え部材１７ｃには、ワイヤ１７ｄの一端が締結されており、巻きバネと反対方向（図１において矢印Ｂ方向）へ引っ張ることができるようになっている。なお、ワイヤ１７ｄの反対側端部は、蓋回動軸３４に連結されており、鍵盤蓋３０を閉じる際に蓋回動軸３４の回動によって巻き取られて、支え部材１７ｃを下方へ引き下ろす。
【００２７】
（譜面立ての取付け）
以上、説明したような譜面立て４０を天板１４に取り付けるには、基材４２の先端を上方から天板１４の譜面立て用開口１４ｃに挿入し、譜面立て回転軸４３を天板１４の軸受凹部１４ｄに嵌める。これにより、譜面受け４１を譜面受け凹部１４ｂに収納した状態では、基材４２は、下方に突出する。譜面受け４１と基材４２が直交している場合には、基材４２は、下方にまっすぐに垂れ下がる（図１参照）。また、譜面立て４０を収納した状態では、前述したように譜面受け４１の前面４１ａが天板１４の上面１４ａと同一面となる。
【００２８】
（放音蓋）
図１に示すように、天板１４の放音蓋用開口１４ｅに取り付けられる放音蓋５０は、矩形板状の放音蓋本体５１と、この放音蓋本体５１を放音蓋用開口１４ｅに回転自在に取り付けるための放音蓋回転軸５２を有する。放音蓋回転軸５２は、放音蓋本体５１が閉じる方向にのみダンパーを有するものが望ましい。放音蓋５０は、放音蓋本体５１が放音蓋用開口１４ｅを開閉するように、放音蓋回転軸５２を天板１４に取り付けることにより、取り付けられる。また、放音蓋５０が放音蓋用開口１４ｅに収納された状態で、放音蓋本体５１の本体上面５１ａが、天板１４の上面１４ａと同一面となるように段部１４ｆの高さを設定する。なお、段部１４ｆに代わってストッパを設けることもできる。
【００２９】
（放音蓋開閉機構）
放音蓋５０は、放音蓋開閉機構６０により、鍵盤蓋３０の開動作に連動して開くとともに、鍵盤蓋３０の閉動作に連動して閉じるようになっている。
図１に示すように、放音蓋開閉機構６０は、楽器本体１０に取り付けられた第１回動軸６１及び第２回動軸６２を有する。第１回動軸６１には第１部材６３及び第２部材６４が固定されており、第１部材６３の前端は、譜面受け４１の後面４１ｂに接触可能となっている。
【００３０】
また、第２回動軸６２には第３部材６５及び第４部材６６が固定されている。そして、第２部材６４と第３部材６５との間は、第５部材６７がヒンジ６８、６９で連結されている。なお、ヒンジ６８には、放音蓋錘７０が取り付けられている。また、第４部材６６には、ヒンジ７２を介して第６部材７１が連結されており、第６部材７１の先端は、ヒンジ７３を介して放音蓋本体５１の本体下面５１ｂに連結されている。
【００３１】
（鍵盤蓋の開閉動作に伴う譜面立ての起立動作及び放音蓋の開閉動作）
次に、鍵盤蓋３０の開閉動作に伴う譜面立て４０の起立動作及び放音蓋５０の開閉動作について説明する。
【００３２】
図１に示すように、前蓋３１と後蓋３２を延ばして鍵盤蓋３０を閉じた状態では、譜面立て４０の基材４２が譜面立て錘４４によって下方に垂れ下がっており、譜面受け４１は譜面受け凹部１４ｂに収納されている。このとき、後蓋３２は基材４２に接触していない。また、放音蓋開閉機構６０においては、放音蓋錘７０が、重力により第２部材６４を下方へ付勢し、第１回動軸６１を介して第１部材６３は上方へ付勢される。このため、第１部材６３の前端は、天板１４の譜面受け凹部１４ｂに収納されている譜面受け４１の後面４１ｂに押し付けられており、譜面受け４１の重力により放音蓋錘７０は下降が阻止されている。これにより、放音蓋５０に連結されている第６部材７１は上昇しないので、放音蓋５０は閉じた状態を維持する。
【００３３】
また、図２及び図３に示すように、前蓋３１と後蓋３２を折り曲げて鍵盤蓋３０を開くと、前蓋３１の前端３１ａのガイド部材３５がガイド溝１６に沿って後方へ移動する。これに伴い、後蓋３２は、蓋回動軸３４を中心として、ヒンジ３３側である前端を持ち上げる。これにより、鍵盤蓋３０の開閉動作に連動して動作する部材部分である後蓋３２は、譜面立て４０の回転に連動して動作する部材部分である基材４２を後上方へ押し上げるので、譜面受け４１が天板１４から起き上がる（起立する）。このとき、同時に蓋回動軸３４の回転によってワイヤ１７ｄを繰り出すので、譜面受け支え１７が巻きバネ（図示省略）によって起き上がる。これにより、譜面受け支え１７の先端が譜面受け４１の支え用凹部４１ｃの上端部に当接して、譜面受け４１が後方へ倒れないように支持する。
【００３４】
同時に、放音蓋開閉機構６０においては、譜面受け４１が起き上がることにより第１部材６３が解放されるので、第１部材６３は放音蓋錘７０によって回転させられて、第１部材６３の先端が譜面受け凹部１４ｂに設けられている放音開閉部材用切欠き１４ｈから上方へ突出する。このとき、放音蓋錘７０が下降するので、第２回動軸６２を介して連結されている第６部材７１が上昇して、放音蓋５０を押し上げて開放する。
【００３５】
一方、鍵盤蓋３０を閉じる際には、図２に示すように、折り畳まれている前蓋３１の下部を前方へ引き出す。これに伴い、後蓋３２が蓋回動軸３４を中心としてヒンジ３３側が前方へ移動するので、蓋回動軸３４が反時針方向へ回転して、ワイヤ１７ｄを巻き取る。これにより、ワイヤ１７ｄが譜面受け支え１７を引き下げるので、譜面受け支え１７は譜面受け４１の支え用凹部４１ｃに沿って下方へ回転して収納される。これにより、それまで後蓋３２によって持ち上げられていた基材４２が、譜面立て錘４４の作用により、譜面立て回転軸４３を中心として下方（時針方向）へ回転し、譜面受け４１も回転して天板１４の譜面受け凹部１４ｂに収納される。すなわち、譜面立て４０の起立状態が解除される。
【００３６】
そして、譜面受け凹部１４ｂに収納された譜面受け４１が、放音蓋開閉機構６０の第１部材６３の先端を下方へ押すので、第１部材６３及び第２部材６４が第１回動軸６１を中心として回動して、第５部材６７及び第３部材６５を押し上げる。第３部材６５が押し上げられると、第２回動軸６２の反対側の第４部材６６及び第６部材７１が下降し、放音蓋５０が自重により下降して放音蓋用開口１４ｅを閉じる。このとき、放音蓋回転軸５２にダンパー機能を設けておくと、放音蓋本体５１はゆっくりと締まる。
【００３７】
以上、本発明の好ましい実施形態について詳述したが、本発明に係る鍵盤楽器１は上述した実施形態に限定されるものではなく、特許請求の範囲に記載された本発明の要旨の範囲内において、種々の変形、変化が可能である。
【００３８】
例えば、上記実施形態においては、天板１４の中央部に１個の放音蓋５０を設けた場合を説明したが、これに限らず、例えば左右に放音蓋５０を設けることもできる。この場合には、放音蓋開閉機構６０も左右に設ける。
【００３９】
以上、説明したように、本発明の鍵盤楽器１によれば、楽器本体１０に設けられて鍵盤部２０を開閉可能に覆う鍵盤蓋３０の開動作に連動して、楽器本体１０の天板１４に回転可能に設けられた譜面立て４０が起立する。このため、鍵盤蓋３０の開閉に伴って天板１４の上面１４ａの見やすい位置に譜面立て４０を立てることができる。さらに、鍵盤蓋３０の閉動作に連動して、譜面立て４０が天板１４に収納されるので、譜面立て４０を片付ける手間が省ける。
【００４０】
また、本発明の鍵盤楽器１によれば、鍵盤蓋３０は、ヒンジ３３によって折り曲げ可能に連結された前蓋３１と後蓋３２とを有し、前蓋３１及び後蓋３２を延ばした状態で鍵盤部２０を覆うとともに、前蓋３１及び後蓋３２を折り曲げた状態で鍵盤部２０を開放する。このため、鍵盤蓋３０を収容する空間を小さくして鍵盤楽器１のコンパクト化を図ることができる。
【００４１】
また、本発明の鍵盤楽器１によれば、譜面立て４０は、譜面を支持する譜面受け４１と、譜面受け４１に対して交差する方向に設けられた基材４２と、譜面立て４０を回転可能に支持する譜面立て回転軸４３とを有する。そして、譜面立て回転軸４３が天板１４に取り付けられているので、譜面立て４０を天板１４から出没可能に取り付けることができる。
【００４２】
また、本発明の鍵盤楽器１によれば、前蓋３１と後蓋３２を折り曲げて開く際に、後蓋３２が基材４２を押し上げて譜面立て４０を起立させる。このため、鍵盤蓋３０を開ければ自動的に譜面立て４０を起立させることができるので、譜面立て４０をセットする手間が省ける。
【００４３】
また、本発明の鍵盤楽器１によれば、基材４２には譜面立て錘４４が取り付けられており、前蓋３１と後蓋３２を延ばして閉じる際に、譜面立て４０は譜面立て錘４４の作用により回転して収納される。このため、鍵盤蓋３０を閉じれば自動的に譜面立て４０を収納することができるので、譜面立て４０を片付ける手間が省ける。
【００４４】
また、本発明の鍵盤楽器１によれば、譜面立て４０を起立した状態で固定する譜面受け支え１７を設けたので、起立させた譜面立て４０が倒れるのを防止できる。
【００４５】
また、本発明の鍵盤楽器１によれば、スピーカ２５の音を所定方向へ放音する放音蓋５０を設け、鍵盤蓋３０の開動作に連動して放音蓋５０が開くとともに、鍵盤蓋３０の閉動作に連動して放音蓋５０が閉じる放音蓋開閉機構６０を設けた。このため、鍵盤蓋３０の開閉動作によって放音蓋５０を自動的に開閉できるので、放音蓋５０を開ける手間及び片付ける手間を省くことができる。
【００４６】
さらに、本発明の鍵盤楽器１によれば、放音蓋開閉機構６０は、鍵盤蓋３０の開動作によって譜面立て４０が起立した際に、放音蓋５０を開方向へ付勢する第１部材６３等を有し、鍵盤蓋３０の閉動作によって譜面立て４０が収納されると、譜面立て４０の重量によって放音蓋５０を閉じるようにした。このため、鍵盤蓋３０の開閉動作により、同時に、譜面立て４０及び放音蓋５０の操作ができるので、準備や後片付けが容易になる。
【００４７】
以下に、この出願の願書に最初に添付した特許請求の範囲に記載した発明を付記する。付記に記載した請求項の項番は、この出願の願書に最初に添付した特許請求の範囲のとおりである。
＜請求項１＞
鍵盤部と、
前記鍵盤部を開閉可能に覆う鍵盤蓋と、
回転可能に設けられた譜面立てと、を有し、
前記鍵盤蓋の開動作に連動して前記譜面立てが起立するとともに、前記鍵盤蓋の閉動作に連動して前記譜面立ての起立状態が解除されることを特徴とする鍵盤楽器。
＜請求項２＞
前記譜面立ては、前記鍵盤部を収容する楽器本体の天板に回転可能に設けられ、
前記鍵盤蓋の開動作に連動して前記譜面立てが起立するとともに、前記鍵盤蓋の閉動作に連動して前記譜面立てが前記天板に収納されることを特徴とする請求項１に記載の鍵盤楽器。
＜請求項３＞
前記譜面立ては、
譜面を支持する譜面受けと、
前記譜面受けに対して交差する方向に設けられた基材と、
前記譜面立てを回転可能に支持する回転軸とを有し、
前記回転軸が前記天板に取り付けられていることを特徴とする請求項２に記載の鍵盤楽器。
＜請求項４＞
前記前蓋と前記後蓋を折り曲げて開く際に、前記後蓋が前記基材を押し上げて前記譜面立てを起立させることを特徴とする請求項３に記載の鍵盤楽器。
＜請求項５＞
前記基材には錘が取り付けられており、
前記前蓋と前記後蓋を延ばして閉じる際に、前記譜面立ては前記錘の作用により回転して収納されることを特徴とする請求項３又は請求項４に記載の鍵盤楽器。
＜請求項６＞
前記鍵盤蓋の開閉動作に連動して動作する部材部分が、前記譜面立ての回転に連動して動作する部材部分を押すことで前記譜面立てが起立することを特徴とする請求項２から請求項４のいずれか１項に記載の鍵盤楽器。
＜請求項７＞
前記鍵盤蓋は、連結部材によって折り曲げ可能に連結された前蓋と後蓋とを有し、
前記前蓋及び前記後蓋を延ばした状態で前記鍵盤部を覆うとともに、前記前蓋及び前記後蓋を折り曲げた状態で前記鍵盤部を開放することを特徴とする請求項１から請求項６のいずれか１項に記載の鍵盤楽器。
＜請求項８＞
前記譜面立てを起立した状態で固定する固定機構を有することを特徴とする請求項１から請求項７のいずれか１項に記載の鍵盤楽器。
＜請求項９＞
スピーカの音を所定方向へ放音する放音蓋を有し、
前記鍵盤蓋の開動作に連動して前記放音蓋が開くとともに、前記鍵盤蓋の閉動作に連動して前記放音蓋が閉じる放音蓋開閉機構を有することを特徴とする請求項１から請求項８までのいずれか１項に記載の鍵盤楽器。
＜請求項１０＞
前記放音蓋開閉機構は、
前記鍵盤蓋の開動作によって前記譜面立てが起立した際に、前記放音蓋を開方向へ付勢する付勢材を有し、
前記鍵盤蓋の閉動作によって前記譜面立てが収納されると、前記譜面立ての重量により前記放音蓋を閉じることを特徴とする請求項９に記載の鍵盤楽器。
【符号の説明】
【００４８】
１  鍵盤楽器
１０  楽器本体
１４  天板
１７  譜面受け支え（固定機構）
２０  鍵盤部
２５  スピーカ
３０  鍵盤蓋
３１  前蓋
３２  後蓋
３３  ヒンジ（連結部材）
４０  譜面立て
４１  譜面受け
４２  基材
４３  譜面立て回転軸（回転軸）
４４  譜面立て錘（錘）
５０  放音蓋
６０  放音蓋開閉機構
６３  第１部材（付勢材）
【図１】
2018159842.tif 000003
【図２】
2018159842.tif 000004
【図３】
2018159842.tif 000005
【図４】
2018159842.tif 000006
【図５】
2018159842.tif 000007
【図６】
2018159842.tif 000008